(57)【要約】【課題】三次元の立体物を用いてその全体像から方向や場所を認識することができ、方向や場所の識別性を向上することができる方向提示板を提供する。【解決手段】無色透明又は有色透明な透明板２と、透明板２の両面に分割して設けられ且つ透明板２の一面側から他面側を透かしたときの全体的な視覚によって一つの方向提示立体物３として認識し得るように構成された分割立体物３ａ，３ｂとを備えている。【選択図】      図１
2008275948.tif 000002
【特許請求の範囲】
【請求項１】
無色透明又は有色透明な透明板と、該透明板の両面に分割して設けられ且つ該透明板の一面側から他面側を透かしたときの全体的な視覚によって一つの方向提示立体物として認識し得るように構成された分割立体物と、を備えていることを特徴とする方向提示板。
【請求項２】
前記透明板に、前記一つの方向提示立体物が提示する場所又は意味を認識させる文字又は図柄が設けられていることを特徴とする請求項１に記載の方向提示板。
【請求項３】
前記文字又は図柄は、前記透明板の表面側及び裏面側の何れの方向から見た場合であっても識別が可能となるように対称形又は相似形に設けられていることを特徴とする請求項２に記載の方向提示板。
【請求項４】
前記分割立体物は、前記一つの方向提示物を任意の位置並びに角度で分割されていると共に、その各分割面が前記透明板を挟んで対向するように設けられていることを特徴とする請求項１乃至請求項３の何れかに記載の方向提示板。
【請求項５】
前記一つの方向提示立体物は、前記透明板の厚さを考慮して分割されていることを特徴とする請求項４に記載の方向提示板。
【請求項６】
前記一つの方向提示立体物が立体矢印形状を呈するように先端側と基端側とで分割されて前記分割立体物とされ、前記基端側の端面には周縁部から中心に向って奥行き方向に錘状に凹んでいることを特徴とする請求項１乃至請求項５の何れかに記載の方向提示板。
【請求項７】
前記立体矢印形状の一つの方向提示立体物は、前記先端側の矢印頭部形状並びに大きさと前記基端側の端面形状並びに大きさとが正面視において略同一であることを特徴とする請求項６に記載の方向提示板。
【請求項８】
前記立体矢印形状の一つの方向提示立体物は、その胴部が先端側に向けて先細りに形成されていることを特徴とする請求項７に記載の方向提示板。
【請求項９】
請求項１乃至請求項８の何れかに記載の方向提示板を用い、前記透明板が回動式透明ドアであって、前記一つの方向提示立体物が前記回動式透明ドアの開閉方向を認識し得るように先端方向が規定された立体矢印であることを特徴とする回動式透明ドア用操作方向案内部材。
【請求項１０】
前記立体矢印が、前記回動式透明ドアの開閉操作用把手の近傍に設けられていることを特徴とする請求項９に記載の回動式透明ドア用操作方向案内部材。
【請求項１１】
前記立体矢印が、前記回動式透明ドアの開閉操作用把手であることを特徴とする請求項９に記載の回動式透明ドア用操作方向案内部材。
【請求項１２】
前記立体矢印の先端側は、前記回動式透明ドアの引き開き側に設けられていると共に、引き手操作用の段差が設けられていることを特徴とする請求項１１に記載の回動式透明ドア用操作方向案内部材。
【請求項１３】
前記立体矢印の先端側は、固定部材を介して前記回動式透明ドアに固定されていることを特徴とする請求項１１又は請求項１２に記載の回動式透明ドア用操作方向案内部材。
【発明の詳細な説明】
【技術分野】
【０００１】
本発明は、駅構内やビルといった建物内等に設けられて、トイレ・非常口・喫煙所・休憩所・エレベータ・乗換口といった場所や意味を提示する標識や誘導板等として用いられる方向提示板に関する。
【背景技術】
【０００２】
【非特許文献１】http://toshisv.sk.tsukuba.ac.jp/jisshu/jisshu1/report/2001/g3_shisetu/no8.htm  従来から、駅構内やビルといった建物内の天井・ドア・壁・柱には、トイレ・非常口・喫煙所・休憩所・エレベータ・乗換口といった場所や意味を提示する標識や誘導板等として、例えば、直進・右左折等の行き先を認識させるための方向提示板を設置している（例えば、非特許文献１参照）。
【０００３】
一方、従来から、店舗入り口やビル玄関等に設置され、無色透明又は有色透明なガラス等で構成されたドアに用いられる回動式透明ドアにあっては、ドア本体の表裏に同一の把手が取り付けられている。
【０００４】
この際、一般的な家庭用の玄関ドアにあっては、靴を脱ぐという風習から、ドアは屋外側に開くのが一般的である。
【発明の開示】
【発明が解決しようとする課題】
【０００５】
ところが、上述した方向提示板にあっては、プレート平面に矢印やマーク（トイレ・非常口を示す文字や図柄等）が記載されているのみであるため、その具体的な方向を認識し得ず、矢印が示す方向に行ったつもりが間違えていた等が良く見受けられる。
【０００６】
一方、ビルや店舗等に設置の建物出入口用のドアにあっては、上述した家庭用の玄関ドアとは異なり、屋外側に開くものと屋内側に開くものとが混在していることが多い。
【０００７】
また、このようなビルや店舗等に設置の建物出入口用のドアにあっても、基本的にはドア本体の表裏に同一のものが取り付けられており、そのドア本体を押し開くのか引き開くのかはドアの把手付近に貼り付けられた「押す」「引く」の小さな文字表示を確認しないと判らず、その文字表示を確認しないまま誤って逆方向にドア開放操作をしてしまうことが多く見受けられる。
【０００８】
そこで、本発明は、上記事情を考慮し、三次元の立体物を用いてその全体像から方向や場所を認識することができ、方向や場所の識別性を向上することができる方向提示板を提供することを目的とする。
【０００９】
また、本発明は、ビル玄関や店舗入口等に設置のドアの開放操作を押し開くのか引き開くのかを直感的に認識することができ、ドア開閉誤操作をし難くすることができるという相乗効果を発揮することができる回動式透明ドア用操作方向案内部材を提供することを目的とする。
【課題を解決するための手段】
【００１０】
本発明の一実施形態に係る方向提示板は、無色透明又は有色透明な透明板と、該透明板の両面に分割して設けられ且つ該透明板の一面側から他面側を透かしたときの全体的な視覚によって一つの方向提示立体物として認識し得るように構成された分割立体物と、を備えていることを特徴とする。
【００１１】
また、前記透明板に、前記一つの方向提示立体物が提示する場所又は意味を認識させる文字又は図柄が設けられていることを特徴とする。
【００１２】
さらに、前記文字又は図柄は、前記透明板の表面側及び裏面側の何れの方向から見た場合であっても識別が可能となるように対称形又は相似形に設けられていることを特徴とする。
【００１３】
また、前記分割立体物は、前記一つの方向提示物を任意の位置並びに角度で分割されていると共に、その各分割面が前記透明板を挟んで対向するように設けられていることを特徴とする。
【００１４】
また、前記一つの方向提示立体物は、前記透明板の厚さを考慮して分割されていることを特徴とする。
【００１５】
また、前記一つの方向提示立体物が立体矢印形状を呈するように先端側と基端側とで分割されて前記分割立体物とされ、前記基端側の端面には周縁部から中心に向って奥行き方向に錘状に凹んでいることを特徴とする。
【００１６】
さらに、前記立体矢印形状の一つの方向提示立体物は、前記先端側の矢印頭部形状並びに大きさと前記基端側の端面形状並びに大きさとが正面視において略同一であることを特徴とする。
【００１７】
しかも、前記立体矢印形状の一つの方向提示立体物は、その胴部が先端側に向けて先細りに形成されていることを特徴とする。
【００１８】
また、本発明の回動式透明ドア用操作方向案内部材は、請求項１乃至請求項８の何れかに記載の方向提示板を用い、前記透明板が回動式透明ドアであって、前記一つの方向提示立体物が前記回動式透明ドアの開閉方向を認識し得るように先端方向が規定された立体矢印であることを特徴とする。
【００１９】
また、前記立体矢印が、前記回動式透明ドアの開閉操作用把手の近傍に設けられていることを特徴とする。
【００２０】
また、前記立体矢印が、前記回動式透明ドアの開閉操作用把手であることを特徴とする。
【００２１】
さらに、前記立体矢印の先端側は、前記回動式透明ドアの引き開き側に設けられていると共に、引き手操作用の段差が設けられていることを特徴とする。
【００２２】
しかも、前記立体矢印の先端側は、固定部材を介して前記回動式透明ドアに固定されていることを特徴とする。
【発明の効果】
【００２３】
本発明の一実施形態に係る方向提示板は、三次元の立体物を用いてその全体像から方向や場所を認識することができ、方向や場所の識別性を向上することができる。
【発明を実施するための最良の形態】
【００２４】
次に、本発明の一実施形態に係る方向提示板について、図面を参照して説明する。
【００２５】
＜設置環境の確認＞
先ず、設置場所並びに目的（方向・施設等）が決定したら、その条件に見合った透明板（プラスチック板やガラス板等）の大きさや厚さ等を決定すると共に、主としてどの方向から立体物の全体が見えるようにするのか（どのように立体物の全体を見せたいのか）等を含めて立体物の大きさ・設置数・分割数・奥行き・厚さ等を決定する。
【００２６】
＜材料の確認＞
立体物の大きさや利用目的が決定したらば、その立体物の形状・大きさ・利用目的（強度等）等に応じた材料並びに制作方法を決定する。
【００２７】
ここで、立体物の材料としては、単なる提示目的として用いる場合には発泡スチロール等の軽量で加工の容易な素材が適している。また、ある程度の強度が必要なものの場合には、比較的軽量な立体物となることを前提として、木材や樹脂等を用いることができる。
【００２８】
＜製作方法の確認＞
立体物の制作方法としては、その手法は問わない。例えば、発泡スチロールや木材等のブロック体を彫って（又は削って）立体物を直接作成する方法が考えられる。その他に、例えば彫塑、彫刻によってもよい。また、鋳型を用意して鋳型内に材料を鋳込んで作成してもよい。立体物の造形の方法は、これ以外でも、適宜、選択できる。
【００２９】
尚、立体物が大型或いは長尺な場合には、針金等の芯材を立体物に差し込んだり、予めインサート成形しても良い。
【００３０】
また、立体物の原型を作成した後、その原型を用いて作成した金型内に発泡スチロールや溶融樹脂等を注入（発泡成形・射出成形等）して立体物を作成する方法としても良い。
【００３１】
この際、金型は、立体物の分割する位置や方向を決定したうえで、予め分割（例えば２分割）した立体物を作成しても良い。
【００３２】
尚、上述した制作方法以外にも、例えば、布・紙等を材料として立体物を直接作成しても良いが、ガラス等の透明板への負荷・安全性・耐光性・防水性・暴風対策等を考慮して使用材料や製作方法を決定するのが好ましい。
【００３３】
このように、本発明の立体物にあっては、大量生産の場合であっても所謂一品物であっても対応が可能となる。
【００３４】
さらに、立体物のデザイン等には、パーソナルコンピュータの３Ｄ（三次元）ＣＡＤソフト等を利用して製作し、コンピュータ制御のレーザカッター等で立体物を製作することも可能である。
【００３５】
尚、分割立体物は、立体物を一旦作成して、それを分割して作成することに限られるわけではない。最初から別々に作成して、それを貼り付けてもよい。
【００３６】
分割した立体物は、設置する透明板の厚さを考慮して、その分割面を透明板の厚さ分だけ除去しても良い。
【００３７】
また、立体物への彩色は、立体物の製作後に行っても良いし分割立体物とした後に行っても良い。この際、分割立体物への彩色は、実際の透明板の厚さ相当の仮透明板に仮貼り付けを行い、透明板を透かして全体を見た場合の見栄えを確認しながら彩色作業を行うのが好ましい。尚、彩色に使用するインキ等は、立体物の設置場所（雨対策等）や剤料（溶剤含有の有無等）を考慮して決定される。また、防水ニス等のコーティング処理を施しても良い。
【００３８】
透明板への実際の貼り付けには、立体物の材質・大きさ・重さ・設置期間・設置場所等を考慮して決定するが、両面テープ・接着剤・マグネット・吸着盤等での貼り付けが可能である。また、使用目的等の状況に応じてボルト・ナット等の固定部材や補強部材を利用することも可能である。
【００３９】
次に、上述した製法等に基づく立体物を用いた提示例を説明する。
【００４０】
（方向提示）
図１に示すように、方向提示板１は、無色透明又は有色透明なガラス又はプラスチック等からなる透明板２と、透明板２の両面に分割して設けられ且つ透明板２の一面側から他面側を透かしたときの全体的な視覚によって一つの方向提示立体物３として認識し得るように２分割された分割立体物３ａ，３ｂと、一つの方向提示立体物３が提示する場所又は意味（施設名等を含む）を認識させる図柄４（文字でも良い）とを備えている。
【００４１】
尚、この図柄４は、図１に示したものは、施設としてのトイレを意味しているが、透明板２が透けていることから、その表裏の何れの方向から見た場合であっても認識ができるように、その文字や図柄４を透明板２に直接記載する場合には、対称形又は相似形なものを用いるのが好ましい。この際、対称形又は相似形とすることが困難な場合には、不透明なシール等に文字や図柄を記載して透明板２の両面（表裏）それぞれに設けるのが好ましい。
【００４２】
図１に示した一つの方向提示立体物３は、直線方向を示した立体矢印であり、一般的に方向を提示する際に矢印先端側が行き先を示すものと周知されている。従って、この立体矢印の示す方向を、形状自体と直線形状や屈曲形状等とすることにより、三次元での方向を提示することができる。また、立体矢印の取り付けを直線状（直進）又は傾斜状（上り・下り等）に透明板２に取り付けることにより、三次元での方向を提示することができる。
【００４３】
また、一つの方向提示立体物３は、その設置場所に応じて、図２（Ａ）に示すように予め一つの方向提示立体物３に対して、図２（Ｂ）の鎖線で示すように、その分割箇所（切断位置・方向等）を決定した後、図２（Ｃ）に示すように、作業現場等でその分割箇所から一つの方向提示立体物３を切断・分割し、図３に示すように、透明板２の表裏に分割面が対向するように固定するだけで良い。
【００４４】
図４は、このような立体矢印からなる一つの方向提示立体物５を屈曲させた場合の一例を示す。また、一つの方向提示立体物３が提示する場所又は意味（施設名等を含む）を文字６によって認識させる例を示す。
【００４５】
また、このような立体矢印は、例えば、図５に示すように、円柱状の立体矢印からなる一つの方向提示立体物６（図５（Ａ））、角柱状の立体矢印からなる一つの方向提示立体物７，８，９（図５（Ｂ）〜（Ｄ））等、その形状は特に限定されるものではない。
【００４６】
また、方向を認識することができるものであれば、例えば、図６に示すように、指差す手を模した一つの方向提示立体物１０などでも良い。
【００４７】
さらに、方向の認識と共に、場所や意味（例えば、非常口）を想定し得るもの、例えば、図７に示すような走る人（逃げる人）を模した一つの方向提示立体物１１などでも良い。
【００４８】
この際、走る人（逃げる人）を模した一つの方向提示立体物１１の場合、図８に示すように、人体の前後で分割するが、手や足などで動きを表現していることから、その分割数は２分割に限定されるものではない。
【００４９】
また、図９に示すように、スポットライト１２を照射することによって、その方向や方向提示板１の存在を強調することも可能である。
【００５０】
（操作方向提示）
また、本発明の一実施形態に係る方向提示板は、例えば、図１０〜図２４に示すように、建物出入口や店舗出入口等のように、無色透明又は有色透明な回動式透明ドアを透明板２として上述した立体矢印からなる一つの方向提示立体物２１〜２５の示す方向によってドア回動方向を認識させる操作方向提示も可能である。この際、一つの方向提示立体物２１〜２５は、ドア２の把手１３の近傍に設置するのが好ましい。
【００５１】
尚、符号２１ａ，２１ｂ、２２ａ，２２ｂ、２３ａ，２３ｂ、２４ａ，２４ｂ、２５ａ，２５ｂは、それぞれ分割立体物を示し、符号２１ａ，２２ａ，２３ａ，２４ａ，２５ａが矢印先端側、符号２１ｂ，２２ｂ，２３ｂ，２４ｂ，２５ｂが矢印基端側を示す。
【００５２】
この際、この矢印基端側２１ｂ，２２ｂ，２３ｂ，２４ｂ，２５ｂの端面を周縁から中心に向って錘状に凹ますことで基端側操作案内部２１ｃ，２２ｃ，２３ｃ，２４ｃ，２５ｃを形成しても良い。
【００５３】
また、立体矢印形状をドア回動方向に屈曲させた一つの方向提示立体物２４（図１９〜図２１）とすることも可能である。
【００５４】
さらに立体矢印形状を、その先端側２５ａの矢印頭部形状並びに大きさと基端側２５ｂの端面形状並びに大きさとが正面視及び背面視において（図２４（Ｃ），（Ｄ）参照）略同一とし、胴部を全体的に先端側２５ａに向けて先細りに形成することで、全体的な方向の識別性を向上させることも可能である。
【００５５】
（把手）
ビル玄関や店舗入口等に設置のドアにあっては、その多くが無色透明若しくは有色透明なガラス製のドアである。
【００５６】
そこで、図２５〜図２９に示すように、ガラス製の回動式透明ドアを透明板２として考えた場合、そのドア２の開閉操作用の把手２６を立体矢印形状の一つの方向提示立体物として兼用することにより、ドア２の開放操作を押し開くのか引き開くのかを直感的に認識する操作提示機能と誤操作防止用の把手機能とを具備することができる。
【００５７】
即ち、立体直線矢印又は立体屈曲矢印（図はドア開放方向に屈曲した立体屈曲矢印で示す）を把手２６として作成し、その把手２６を任意の位置で分割し、透明板としてのドア２の表裏に対向状態で設置する。
【００５８】
これにより、ドア２を透かして立体矢印全体を見ることにより、その立体矢印の先端側２６ａの方向から、直感的にドア２を押し開くのか、引き開くのかを認識することができる。尚、この把手２６の形状も、上述した（図１０〜図２４に示した）形状の立体矢印形状を利用することができる。
【００５９】
この際、把手２６の先端側２６ａには矢印頭部を構成するために段差部分が形成されていると共に、先端が尖っていることと相俟って、図２７に示すように、手で引っ掛けながらドア２の引き開き操作を容易に行うことができ、把手２６の基部側２６ｂの端面は平坦若でも良いが、周辺から中心に向けて奥行き方向に錘状に凹ませて基端側操作案内部２６ｃを形成しても良い。このとにより、握る部分が無いことと相俟って、押し開き操作を容易に認識することができ、誤操作を容易に抑制することができる。
【００６０】
また、少なくとも引き開き操作側の先端側２６ａは、図２８に示すように、先端側２６ａに設けたブラケット２７並びに抜け止めピン２８を介してドア２を貫通する固定ボルト２９等で強固に固定することにより、引き開き操作時の荷重に対する強度を確保することができる。尚、図２８の符号３０は補強プレートである。
【００６１】
また、図２９に示すように、ドア２に形成したボルト貫通孔２ａに差込用の突起３１ａをの形成した型３１をドア２の裏面側に設け、この突起３１ａにブラケット２７のボルト貫通孔２７ａを差し込んで先端側２６ａを位置決めするのが好ましい。
【００６２】
尚、立体物が発光するようにすることが好ましい。立体物を透明材料で形成し、その内部に光源を入れておけばよい。また、電源を内部に入れておいてもよい。立体物自体が発光するようにしてもよい。例えば、表面に発光塗料を塗布しておいてもよい。また、有機ＥＬ材料・液晶材料を用いて、立体物を作成してもよい。
【図面の簡単な説明】
【００６３】
【図１】本発明の一実施形態に係る方向提示板の斜視図である。
【図２】本発明の一実施形態に係る方向提示板に適用される一つの方向立体提示物を示し、（Ａ）は一つの方向立体提示物の側面図、（Ｂ）一つの方向立体提示物の分割位置の説明図、（Ｃ）は一つの方向立体提示物の分割後の側面図である。
【図３】本発明の一実施形態に係る方向提示板の分解斜視図である。
【図４】本発明の一実施形態に係る方向提示板の実施例２の斜視図である。
【図５】（Ａ）〜（Ｄ）は、本発明の一実施形態に係る方向提示板に適用される一つの方向立体提示物の変形例の側面図である。
【図６】本発明の一実施形態に係る方向提示板の実施例３の斜視図である。
【図７】本発明の一実施形態に係る方向提示板の実施例４の斜視図である。
【図８】本発明の一実施形態に係る方向提示板の実施例４における一つの方向立体提示物の斜視図である。
【図９】本発明の一実施形態に係る方向提示板の実施例４における応用例の説明図である。
【図１０】本発明の一実施形態に係る方向提示板の実施例５の斜視図である。
【図１１】本発明の一実施形態に係る方向提示板の実施例５の要部の拡大斜視図である。
【図１２】本発明の一実施形態に係る方向提示板の実施例５に適用される分割状態の一つの方向立体提示物を示し、（Ａ）は平面図、（Ｂ）は右側面図、（Ｃ）は正面図、（Ｄ）は背面図、（Ｅ）は参考斜視図である。
【図１３】本発明の一実施形態に係る方向提示板の実施例６の斜視図である。
【図１４】本発明の一実施形態に係る方向提示板の実施例６の要部の拡大斜視図である。
【図１５】本発明の一実施形態に係る方向提示板の実施例６に適用される分割状態の一つの方向立体提示物を示し、（Ａ）は平面図、（Ｂ）は右側面図、（Ｃ）は正面図、（Ｄ）は背面図、（Ｅ）は参考斜視図である。
【図１６】本発明の一実施形態に係る方向提示板の実施例７の斜視図である。
【図１７】本発明の一実施形態に係る方向提示板の実施例７の要部の拡大斜視図である。
【図１８】本発明の一実施形態に係る方向提示板の実施例７に適用される分割状態の一つの方向立体提示物を示し、（Ａ）は平面図、（Ｂ）は右側面図、（Ｃ）は正面図、（Ｄ）は背面図、（Ｅ）は参考斜視図である。
【図１９】本発明の一実施形態に係る方向提示板の実施例８の斜視図である。
【図２０】本発明の一実施形態に係る方向提示板の実施例８の要部の拡大斜視図である。
【図２１】本発明の一実施形態に係る方向提示板の実施例８に適用される分割状態の一つの方向立体提示物を示し、（Ａ）は平面図、（Ｂ）は右側面図、（Ｃ）は左側面図、（Ｄ）は正面図、（Ｅ）は背面図、（Ｅ）は参考斜視図である。
【図２２】本発明の一実施形態に係る方向提示板の実施例９の斜視図である。
【図２３】本発明の一実施形態に係る方向提示板の実施例９の要部の拡大斜視図である。
【図２４】本発明の一実施形態に係る方向提示板の実施例９に適用される分割状態の一つの方向立体提示物を示し、（Ａ）は平面図、（Ｂ）は右側面図、（Ｃ）は正面図、（Ｄ）は背面図、（Ｅ）は参考斜視図である。
【図２５】本発明の一実施形態に係る方向提示板を利用した把手を示すドアの斜視図である。
【図２６】本発明の一実施形態に係る方向提示板を利用した把手を示すドアの平面図である。
【図２７】本発明の一実施形態に係る方向提示板を利用した把手を示す要部の斜視図である。
【図２８】本発明の一実施形態に係る方向提示板を利用した把手を示す要部の断面図である。
【図２９】本発明の一実施形態に係る方向提示板を利用した把手を示す取付例の説明図である。
【符号の説明】
【００６４】
１…方向提示板
２…透明板
３…方向提示立体物
３ａ…分割立体物
３ｂ…分割立体物
【図１】
2008275948.tif 000003
【図２】
2008275948.tif 000004
【図３】
2008275948.tif 000005
【図４】
2008275948.tif 000006
【図５】
2008275948.tif 000007
【図６】
2008275948.tif 000008
【図７】
2008275948.tif 000009
【図８】
2008275948.tif 000010
【図９】
2008275948.tif 000011
【図１０】
2008275948.tif 000012
【図１１】
2008275948.tif 000013
【図１２】
2008275948.tif 000014
【図１３】
2008275948.tif 000015
【図１４】
2008275948.tif 000016
【図１５】
2008275948.tif 000017
【図１６】
2008275948.tif 000018
【図１７】
2008275948.tif 000019
【図１８】
2008275948.tif 000020
【図１９】
2008275948.tif 000021
【図２０】
2008275948.tif 000022
【図２１】
2008275948.tif 000023
【図２２】
2008275948.tif 000024
【図２３】
2008275948.tif 000025
【図２４】
2008275948.tif 000026
【図２５】
2008275948.tif 000027
【図２６】
2008275948.tif 000028
【図２７】
2008275948.tif 000029
【図２８】
2008275948.tif 000030
【図２９】
2008275948.tif 000031